(57)【要約】【課題】ＢＤやＤＶＤなどの外部記録媒体に記録された番組情報に基づいて、シリーズ番組などの関連する番組コンテンツの録画予約を簡単に行うことができる録画装置を提供する。【解決手段】録画装置は、制御部１０を備え、少なくとも１つの番組コンテンツに係る番組情報を記録した外部記録媒体を着脱可能に装着する。制御部１０は、番組コンテンツに係る番組情報に基づいて電子番組表を生成する電子番組表生成部１０１と、外部記録媒体から該外部記録媒体に記録されている番組情報を取得する番組情報取得部１０２と、取得した番組情報に含まれる所定のデータと一致するデータを持つ番組コンテンツを電子番組表から検索する電子番組表検索部１０３と、検索された番組コンテンツの録画予約情報を登録する録画予約情報登録部１０４と、録画予約情報が登録された番組コンテンツを外部記録媒体に記録する録画予約実行部１０５とを備える。【選択図】図２
2010041560.tif 000002
【特許請求の範囲】
【請求項１】
少なくとも１つの番組コンテンツに係る番組情報を記録した外部記録媒体を着脱可能に装着する録画装置であって、
番組コンテンツに係る番組情報に基づいて電子番組表を生成する電子番組表生成手段と、前記外部記録媒体から該外部記録媒体に記録されている番組情報を取得する番組情報取得手段と、該取得した番組情報に含まれる所定のデータと一致するデータを持つ番組コンテンツを前記電子番組表から検索する電子番組表検索手段と、該検索された番組コンテンツの録画予約情報を登録する録画予約情報登録手段とを備え、
前記録画予約情報登録手段により録画予約情報が登録された番組コンテンツを前記外部記録媒体に記録することを特徴とする録画装置。
【請求項２】
請求項１に記載の録画装置において、前記録画予約情報登録手段は、前記外部記録媒体が前記録画装置から取り外されたときに、前記番組コンテンツの録画予約情報を消去することを特徴とする録画装置。
【請求項３】
請求項１又は２に記載の録画装置において、録画予約を行うか否かを判定するための判定情報を前記外部記録媒体に書き込む判定情報書込手段を備え、
前記外部記録媒体を読み込んだときに、前記判定情報により録画予約を行うと判定された場合に、前記番組情報取得手段は、前記外部記録媒体から番組情報を取得することを特徴とする録画装置。
【請求項４】
請求項１〜３のいずれか１項に記載の録画装置において、前記外部記録媒体に対して、前記電子番組表を検索する際の検索キーとなる番組情報を書き込む番組情報書込手段を備えていることを特徴とする録画装置。
【請求項５】
請求項３に記載の録画装置において、ユーザ所望の番組コンテンツを前記外部記録媒体に記録する際に、前記判定情報により録画予約を行うと判定された場合、前記ユーザ所望の番組コンテンツの所定のデータと、前記外部記録媒体に記録されている所定のデータとが一致するか否かを判定し、両者が一致しない場合、前記ユーザ所望の番組コンテンツを前記外部記録媒体に記録するか否かを確認するためのメッセージを表示可能としたことを特徴とする録画装置。
【請求項６】
請求項１〜５のいずれか１項に記載の録画装置において、前記所定のデータは、番組タイトル，放送日時，ジャンルのいずれか１つ又は複数を含むことを特徴とする録画装置。
【発明の詳細な説明】
【技術分野】
【０００１】
本発明は、録画装置に関し、テレビジョン放送信号を受信してその番組コンテンツをＤＶＤ(Digital Versatile Disc)やＢＤ(Blu-ray Disc)などの外部記録媒体に録画可能な録画装置に関する。
【背景技術】
【０００２】
従来、テレビジョン放送信号を受信し、受信したテレビジョン放送信号の番組コンテンツをＤＶＤやＢＤなどの外部記録媒体に録画し、必要に応じて接続されたテレビジョン装置で再生する録画装置が普及している。このような録画装置の中にはＨＤＤを持たず、番組コンテンツをＢＤに直接録画することができる所謂ストレートレコーダと呼ばれるものが存在する。
【０００３】
上記の録画装置においては、事前に設定される予約情報に基づいて録画予約が行われている。この予約情報には、録画日時（日付，開始時刻，終了時刻を含む）、使用チャンネルなどが含まれる。この予約情報は通常ユーザがその都度設定し、録画装置に記憶させておくのが一般的である。このため、連続ドラマなどのシリーズ番組を連続して同じ外部記録媒体に録画したい場合には、録画装置に外部記録媒体をセットし忘れてしまうと録画することができず、また逆に録画装置に外部記録媒体をセットしたまま放置してしまうと、予約情報に基づいてシリーズ番組以外の別の番組が外部記録媒体に録画されてしまい、外部記録媒体におけるシリーズ番組の連続性が損なわれてしまうと問題があった。
【０００４】
これに対して、特許文献１には、連続性のあるテレビジョン放送をその連続性を保持しながら１つの光ディスクに確実に記録できるようにする技術が記載されている。これによれば、光ディスクに、固有の予め設定された特定種類のテレビジョン放送の録画開始時刻と終了時刻とを含む予約情報を記録しておく。情報記録装置は、光ディスクの予約情報を読み出して、この予約情報に基づいて録画すべきテレビジョン放送を選択して録画することにより、１つの光ディスク内にその光ディスクに固有の例えば連続ドラマのみを録画することができる。
【特許文献１】特開平１１−２６００４３号公報
【発明の開示】
【発明が解決しようとする課題】
【０００５】
しかしながら、上記特許文献１に記載の技術の場合、シリーズ番組などの関連する番組コンテンツを１つの光ディスクに録画できるようになるが、予め光ディスクに予約情報を記録しておく必要があるため、ユーザがその都度予約情報を設定しなければならず、設定操作に手間がかかり、ユーザに操作負担を強いるという問題がある。
【０００６】
本発明は、上述のごとき実情に鑑みてなされたものであり、ＢＤやＤＶＤなどの外部記録媒体に記録された番組情報に基づいて、シリーズ番組などの関連する番組コンテンツの録画予約を簡単に行うことができる録画装置を提供すること、を目的とする。
【課題を解決するための手段】
【０００７】
上記課題を解決するために、本発明の第１の技術手段は、少なくとも１つの番組コンテンツに係る番組情報を記録した外部記録媒体を着脱可能に装着する録画装置であって、番組コンテンツに係る番組情報に基づいて電子番組表を生成する電子番組表生成手段と、前記外部記録媒体から該外部記録媒体に記録されている番組情報を取得する番組情報取得手段と、該取得した番組情報に含まれる所定のデータと一致するデータを持つ番組コンテンツを前記電子番組表から検索する電子番組表検索手段と、該検索された番組コンテンツの録画予約情報を登録する録画予約情報登録手段とを備え、前記録画予約情報登録手段により録画予約情報が登録された番組コンテンツを前記外部記録媒体に記録することを特徴としたものである。
【０００８】
第２の技術手段は、第１の技術手段において、前記録画予約情報登録手段は、前記外部記録媒体が前記録画装置から取り外されたときに、前記番組コンテンツの録画予約情報を消去することを特徴としたものである。
【０００９】
第３の技術手段は、第１又は第２の技術手段において、録画予約を行うか否かを判定するための判定情報を前記外部記録媒体に書き込む判定情報書込手段を備え、前記外部記録媒体を読み込んだときに、前記判定情報により録画予約を行うと判定された場合に、前記番組情報取得手段は、前記外部記録媒体から番組情報を取得することを特徴としたものである。
【００１０】
第４の技術手段は、第１〜第３のいずれか１の技術手段において、前記外部記録媒体に対して、前記電子番組表を検索する際の検索キーとなる番組情報を書き込む番組情報書込手段を備えていることを特徴としたものである。
【００１１】
第５の技術手段は、第３の技術手段において、ユーザ所望の番組コンテンツを前記外部記録媒体に記録する際に、前記判定情報により録画予約を行うと判定された場合、前記ユーザ所望の番組コンテンツの所定のデータと、前記外部記録媒体に記録されている所定のデータとが一致するか否かを判定し、両者が一致しない場合、前記ユーザ所望の番組コンテンツを前記外部記録媒体に記録するか否かを確認するためのメッセージを表示可能としたことを特徴としたものである。
【００１２】
第６の技術手段は、第１〜第５のいずれか１の技術手段において、前記所定のデータは、番組タイトル，放送日時，ジャンルのいずれか１つ又は複数を含むことを特徴としたものである。
【発明の効果】
【００１３】
本発明によれば、ＢＤやＤＶＤなどの外部記録媒体に記録された番組情報に含まれる番組タイトルなどを検索キーとして電子番組表を検索することにより、シリーズ番組などの関連する番組コンテンツの録画予約を簡単に行うことができる。
【発明を実施するための最良の形態】
【００１４】
以下、添付図面を参照しながら、本発明の録画装置に係る好適な実施の形態について説明する。なお、以下に説明する実施の形態における録画装置は、テレビジョン放送を受信してこれを光ディスク等の外部記録媒体に記録するものであり、このテレビジョン放送を外部記録媒体に記録することをしばしば録画ともいう。
【００１５】
図１は、本発明の一実施形態に係る録画装置の構成例を示すブロック図で、図中、１は録画装置を示し、点線の矢印はテレビジョン放送に係る番組コンテンツの流れを示している。本実施形態の録画装置１は、受信したテレビジョン放送信号の番組コンテンツを記録する外部記録媒体としてＢＤ及びＤＶＤなどの光ディスクを用いることができる。また、録画装置１は、液晶ディスプレイ又はＣＲＴディスプレイ等のモニタ装置４と、映像信号用の映像ケーブル及び音声信号用の音声ケーブルを介して接続されており、録画装置１が受信した番組コンテンツ、録画装置１が録画した番組コンテンツをモニタ装置４に表示させることができる。
【００１６】
さらに、録画装置１は、リモートコントロール装置（以下、リモコン装置という）５との間で赤外線を利用したＩｒＤＡ（Infrared Data Association）規格に従う無線通信が可能に構成されており、リモコン装置５によって遠隔から操作することができる。なお、録画装置１とリモコン装置５とを、赤外線を利用した無線通信だけでなく、例えば、ＩＥＥＥ８０２．１１ｂ規格に準拠した無線ＬＡＮ、及びBluetooth規格に従う無線通信等を介して接続してもよい。
【００１７】
録画装置１は、制御部１０、ＲＯＭ１１、ＲＡＭ１２、チューナ部１３、操作部１４、表示部１５、日時管理部１６、予約管理部１７、ＢＤ／ＤＶＤドライブ１８、記録再生部１９、ＨＤＤ２０、映像ケーブル及び音声ケーブルを介してモニタ装置４へ映像・音声信号を出力するための出力部２１、リモコン装置５からの赤外線を受光する赤外線受光部２２等を備えており、夫々はバス１０ａを介して相互に接続されている。
【００１８】
制御部１０は、ＣＰＵ（Central Processing Unit ）又はＭＰＵ（Micro Processing Unit）等により構成されており、バス１０ａを介して接続される上述したようなハードウェア各部を制御すると共に、ＲＯＭ１１に予め格納されている制御プログラムを適宜ＲＡＭ１２に読み出して実行する。ＲＯＭ１１は、録画装置１を本発明に係る録画装置として動作させるために必要な種々の制御プログラム、録画装置１に関する各種のメニュー画像等を予め記憶している。ＲＡＭ１２は、ＳＲＡＭ又はフラッシュメモリ等で構成されており、制御部１０による制御プログラムの実行時に発生するデータを一時的に記憶する。
【００１９】
チューナ部１３は、例えばＢＳ、ＣＳ、地上波等のデジタル放送信号あるいはアナログ放送信号を受信するための受信用チューナであり、放送中継基地２の方向に向けて配置されたアンテナ３と接続されている。チューナ部１３は、ユーザにより選択された放送チャンネルに応じてアンテナ３で受信した電波を検波して番組コンテンツの番組信号を受信し、受信した番組信号を記録再生部１９又は出力部２１へ転送する。なお、チューナ部１３が受信した番組信号に含まれる音声信号は、図示しないスピーカへ入力されて音声出力される。
【００２０】
操作部１４は、録画装置１をユーザが操作するために必要な各種のファンクションキーを備えており、ユーザにより各キーが操作された場合、操作されたキーに対応した制御信号を制御部１０へ送出する。これにより、制御部１０は操作部１４から取得する制御信号に従って各種処理を実行する。具体的に操作部１４には、録画装置１による放送番組の録画処理を開始させるための録画キー、録画装置１に録画してある放送番組の再生を開始させるための再生キー、録画処理又は再生処理を終了させるための停止キー等が設けられている。
【００２１】
赤外線受光部２２は、リモコン装置５からの赤外線を受光して所定の電気信号に変換し、得られた電気信号をリモコンコード解析部（図示せず）へ転送する。リモコンコード解析部は、赤外線受光部２２から取得した電気信号を解析し、リモコン装置５から入力された制御信号を取得し、取得した制御信号を制御部１０へ送出する。従って、制御部１０は、リモコン装置５から送信されてリモコンコード解析部によって解析された制御信号に従って各種処理を実行する。なお、リモコン装置５には、録画キー、再生キー及び停止キーのほかに、１〜１２の数字キー、十字キー、決定キー及びクリアキー等が設けられている。
【００２２】
表示部１５は、例えば液晶モニタによって構成されており、録画装置１の動作状態の表示、ユーザに対して通知すべき情報の表示等を行なう。なお、表示部１５をタッチパネル方式とすることにより、操作部１４の各種のキーのうちの一部又は全部を代用することも可能である。また、録画装置１は、ＲＯＭ１１に記憶してあるメニュー画像を表示部１５に表示させるだけでなく、出力部２１からモニタ装置４へ出力される映像信号に基づく映像の上に、メニュー画像を表示させることもできる。
【００２３】
日時管理部１６は、絶対時間（年、月、日、時、分、秒）を示す時計手段を備えており、制御部１０からの指示に従って現在日時を制御部１０又は予約管理部１７等へ通知し、主としてタイマ予約（以下、予約という）による放送番組の録画処理に利用される。
【００２４】
予約管理部１７は、ユーザが操作部１４又はリモコン装置５を操作することによって予約された録画処理を示す録画予約情報（以下、予約情報という）を登録する予約管理テーブルを有している。予約管理テーブルには、予約された録画処理毎に、識別するための予約番号、放送番組のジャンル、放送チャンネル、録画開始の日時を示す開始日時、録画終了の日時を示す終了日時、放送番組のタイトル等が登録されている。なお、予約管理テーブルは、制御部１０がユーザによる録画処理の予約を受け付ける都度、及び予約された録画処理が終了する都度、制御部１０によって更新される。
【００２５】
また、予約管理部１７は、制御部１０からの制御に従って日時管理部１６から取得する現在日時に基づいて、予約管理テーブルに登録されている各録画処理の開始日時が経過したか否かを判断しており、経過したと判断した場合、記録再生部１９に録画処理を開始させる。また、予約管理部１７は、予約管理テーブルに登録されている各録画処理の終了日時が経過したか否かを判断しており、経過したと判断した場合、記録再生部１９に録画処理を終了させる。
【００２６】
なお、アンテナ３が受信する電波には、番組信号に係る電波のほかに、各放送局が放送する放送番組のジャンル、放送チャンネル、放送開始日時、放送終了日時、及びタイトル等を示す番組情報を含むＥＰＧ（電子番組表）信号に係る電波が定期的に含まれる。従って、録画装置１は、アンテナ３で受信したＥＰＧ信号を利用して録画処理の予約を行なうこともできる。
【００２７】
記録再生部１９は、エンコーダを有しており、チューナ部１３から転送された番組信号をエンコーダにより所定形式のデータに符号化圧縮し、接続されているＢＤ／ＤＶＤドライブ１８又はＨＤＤ２０へ出力する。なお、エンコード形式としては、例えばＭＰＥＧ形式、ＤＶ圧縮形式、モーションＪＰＥＧ形式等を用いることができる。また、記録再生部１９は、デコーダを有しており、ＢＤ／ＤＶＤドライブ１８によってＢＤ／ＤＶＤに記録されたデータ（番組コンテンツ）又はＨＤＤ２０によってＨＤに記録されたデータ（番組コンテンツ）を読み出してデコーダにより番組信号に復号化伸張し、伸張した番組信号を出力部２１へ転送する。
【００２８】
なお、記録再生部１９は、ユーザが操作部１４又はリモコン装置５から録画処理の開始を指示した場合、又は予約管理部１７から録画処理の開始を指示された場合に、番組コンテンツのＢＤ／ＤＶＤドライブ１８又はＨＤＤ２０への転送を開始し、ＢＤ／ＤＶＤ又はＨＤへの番組コンテンツの録画を開始する。また、記録再生部１９は、ユーザが操作部１４又はリモコン装置５から録画処理の終了を指示した場合、又は予約管理部１７から録画処理の終了を指示された場合に、番組コンテンツのＢＤ／ＤＶＤドライブ１８又はＨＤＤ２０への転送を終了し、ＢＤ／ＤＶＤ又はＨＤへの番組コンテンツの録画を終了する。
【００２９】
ＢＤ／ＤＶＤドライブ１８は、脱着式記録媒体であるＢＤ／ＤＶＤの装着が可能な装着部（図示せず）に装着されたＢＤ／ＤＶＤへのアクセスを行なうインタフェースであり、記録再生部１９により符号化圧縮された番組コンテンツをそれぞれファイル単位でＢＤ／ＤＶＤに記憶させる。なお、ＢＤ／ＤＶＤドライブ１８は、１回だけ書き込みが可能なライトワンス型あるいは書き換え可能な書き換え型のＢＤ／ＤＶＤに対してデータの読み書きが可能である。
【００３０】
なお、装着部は、ＢＤ／ＤＶＤを載置するための載置トレイ（図示せず）、載置トレイをＢＤ／ＤＶＤ装入口から出し入れするための駆動モータ（図示せず）等により構成されており、録画装置１の側面に設けられたＢＤ／ＤＶＤ装入口から載置トレイが出し入れされることにより、ＢＤ／ＤＶＤの録画装置１への脱着を行なうことができる。制御部１０は、所定キーが操作された場合、装着部の駆動モータを駆動させて載置トレイをＢＤ／ＤＶＤ装入口から排出し、また、所定キーが操作された場合、装着部の駆動モータを駆動させて載置トレイをＢＤ／ＤＶＤ装入口から取り込む。なお、載置トレイを備えず、ＢＤ／ＤＶＤ装入口から装入されたＢＤ／ＤＶＤを駆動モータによって録画装置１内部に取り込む構成の装着部とすることもできる。
【００３１】
出力部２１は、チューナ部１３から転送されてくる番組信号、記録再生部１９から転送されてくる番組信号をモニタ装置４へ出力してモニタ装置４に表示させる。また、出力部２１は、制御部１０による制御に従ってＲＯＭ１１から読み出されたメニュー画像を番組信号に重ね合わせてモニタ装置４へ出力し、録画装置１に関する各種メニュー画面をモニタ装置４に表示させる。
【００３２】
上述した構成により、本実施形態の録画装置１は、チューナ部１３で取得した番組信号に基づく番組コンテンツをモニタ装置４に表示させることができ、また、チューナ部１３で取得した番組コンテンツをＢＤ／ＤＶＤ又はＨＤに録画し、必要に応じてＢＤ／ＤＶＤ又はＨＤに録画した番組コンテンツをモニタ装置４で再生させることができる。
【００３３】
本発明の主たる特徴部分は、ＢＤやＤＶＤなどの外部記録媒体に記録された番組情報に基づいて、シリーズ番組などの関連する番組コンテンツの録画予約を簡単に行えるようにすることである。録画装置１は、少なくとも１つの番組コンテンツに係る番組情報を記録した外部記録媒体を着脱可能に装着し、この番組情報に含まれる例えば番組タイトルと一致する番組コンテンツを電子番組表から検索して録画予約を行う。一例として、番組タイトルがシリーズ番組である「水戸○門」であれば、この「水戸○門」を検索キーとして電子番組表が検索され、「水戸○門」が電子番組表に含まれていれば録画予約される。
【００３４】
このため、従来技術のように、録画予約のための予約情報を外部記録媒体に記録しておく必要がなく、ユーザは外部記録媒体を録画装置に装着するだけで、シリーズ番組などを自動的に録画予約することができる。なお、外部記録媒体に記録しておく番組情報は、番組コンテンツと共に取得される番組情報（放送番組のジャンル、放送チャンネル、放送開始日時、放送終了日時、及びタイトルなど）そのものであってもよく、あるいは、番組情報の一部（例えばタイトルのみ）を抽出したものであってもよい。
【００３５】
図２は、図１に示した録画装置が備える制御部の構成例を示す機能ブロック図である。なお、番組コンテンツに係る番組情報はチューナ部１３や図示しないインターネット等から取得することができ、外部記録媒体であるＢＤ／ＤＶＤ（以下、ＢＤで代表する）には少なくとも１つの番組コンテンツに係る番組情報が予め記録されているものとする。
【００３６】
図２において、制御部１０は、番組コンテンツに係る番組情報に基づいて電子番組表を生成する電子番組表生成手段に相当する電子番組表生成部１０１と、ＢＤから該ＢＤに記録されている番組情報を取得する番組情報取得手段に相当する番組情報取得部１０２と、取得した番組情報に含まれる所定のデータと一致するデータを持つ番組コンテンツを電子番組表から検索する電子番組表検索手段に相当する電子番組表検索部１０３と、電子番組表検索部１０３により検索された番組コンテンツの録画予約情報を登録する録画予約情報登録手段に相当する録画予約情報登録部１０４と、録画予約情報登録部１０４により録画予約情報が登録された番組コンテンツの録画予約を実行し、当該番組コンテンツをＢＤに記録する録画予約実行部１０５とを備える。
【００３７】
なお、上記所定のデータとは、番組情報に含まれるデータであり、電子番組表を検索する際の検索キーとなるものである。例えば、番組タイトル，放送日時，ジャンルのいずれか１つ又は複数を含むように構成することができる。番組タイトルを検索キーとした場合、例えば「水戸○門」が検索キーとなり、電子番組表から番組コンテンツ「水戸○門」が検索され、録画予約することができる。放送日時を検索キーとした場合、例えば「月曜日のＰＭ９時〜１０時」が検索キーとなり、電子番組表から放送日時が「月曜日のＰＭ９時〜１０時」である番組コンテンツが検索され、録画予約することができる。また、ジャンルを検索キーとした場合、例えば「スポーツ」が検索キーとなり、電子番組表からジャンルが「スポーツ」である番組コンテンツが検索され、録画予約することができる。また、これら番組タイトル，放送日時，ジャンルのうちの２つあるいは３つが一致するものを検索するようにしてもよい。
【００３８】
上記例で「スポーツ」などのジャンルを検索キーとした場合、例えば、「野球」や「サッカー」などの様々なスポーツの番組コンテンツが検索されることが考えられる。このような場合、録画予約したい所望のスポーツ（例えば、サッカー）をユーザが選択できるように、検索結果として得られた番組コンテンツの選択画面を表示させるようにしてもよい。
【００３９】
上記のように構成することにより、録画装置１あるいはＢＤに対して予約情報を設定することなく、ＢＤに対して１以上のシリーズ番組を連続的に録画することができるようになる。ここで、録画装置１は、ＢＤが装着されたときに録画予約を行い、その後録画予約に基づいてＢＤへの録画を実行するため、ＢＤへの録画が実行される前にＢＤが取り外されたときに録画予約情報が残っていると他のＢＤや内蔵ＨＤに録画されてしまう可能性があり、好ましくない。そこで、録画予約情報登録部１０４は、ＢＤが録画装置１から取り外されたときに、番組コンテンツの録画予約情報を消去するようにしてもよい。この際、一旦消去された録画予約情報は、再度ＢＤを装着したときに再度登録することができる。
【００４０】
また、制御部１０は、録画予約を行うか否かを判定するための判定情報をＢＤに書き込む判定情報書込手段に相当する判定フラグ書込部１０６と、電子番組表を検索する際の検索キーとなる番組情報をＢＤに書き込む番組情報書込手段に相当する番組情報書込部１０７とを備える。上記の録画予約処理に先立ち、録画装置１は、ユーザによる操作に従って、何もデータが書き込まれていない状態のＢＤに対して、上記の判定情報に相当する判定フラグを書き込むと共に、電子番組表を検索する際の検索キーとなる番組情報を書き込んでおく。ＢＤに書き込む番組情報は、前述したように、番組情報（放送番組のジャンル、放送チャンネル、放送開始日時、放送終了日時、及びタイトルなど）そのものであってもよく、番組情報の一部（例えばタイトルのみ）を抽出して書き込むようにしてもよい。
【００４１】
上記のようにしてシリーズ番組録画用のＢＤを作成した後に、録画装置１は、ＢＤを読み込んだときに、ＢＤに記録された判定フラグがオンの場合には、番組情報取得部１０２がＢＤから番組情報を取得して、該当する番組コンテンツについて録画予約を行い、一方、ＢＤに記録された判定フラグがオフの場合には録画予約を行わない。なお、判定フラグのオン／オフはユーザによる操作に従って録画装置１から適宜変更することができる。このような判定フラグを利用することで、ユーザが所望する番組コンテンツのみを選択して録画予約することができ、不要な番組コンテンツについて録画予約されることがない。
【００４２】
また、ユーザ所望の番組コンテンツをＢＤに記録する際に、判定フラグにより録画予約を行うと判定された場合、ユーザ所望の番組コンテンツの番組タイトルと、ＢＤに記録されている番組タイトルとが一致するか否かを判定し、両者が一致しない場合、ユーザ所望の番組コンテンツをＢＤに記録するか否かを確認するためのメッセージを表示するようにしてもよい。このメッセージは制御部１０で生成され、出力部２１を介してモニタ装置４に表示させてもよく、表示部１５に表示させるようにしてもよい。
【００４３】
上記のように構成することで、１つのシリーズ番組をまとめてＢＤに録画しようとしているときに、ＢＤに別の番組を誤って録画しないように防止することができる。すなわち、判定フラグをオンにしている場合は、ユーザがＢＤに１つのシリーズ番組を録画したい場合である。従って、このような場合にはＢＤに対して別の番組を録画しないことが好ましい。しかし、ＢＤ以外の他の記録媒体の空き容量が不足しているなどの理由で、ＢＤに記録するしかない場合には、ユーザの許可に基づいて、ＢＤに別の番組を録画することができる。
【００４４】
このように、本発明によれば、ＢＤやＤＶＤなどの外部記録媒体に対して、連続ドラマなどのシリーズ番組や同じジャンルの番組などを簡単に録画予約することができる。
また、１つのシリーズ番組や同じジャンルの番組等をまとめてＢＤやＤＶＤに録画しようとしているときに、誤って別の番組を録画することを防止することができる。
【００４５】
図３は、本発明の録画装置によるシリーズ番組の録画予約処理の一例を説明するためのフロー図である。なお、本例は図１に示した録画装置１の構成に基づいて説明するものとし、番組コンテンツに係る番組情報はチューナ部１３や図示しないインターネット等から取得することができ、外部記録媒体であるＢＤ／ＤＶＤには少なくとも１つの番組タイトルが予め記録されているものとする。
【００４６】
まず、録画装置１は、所定の装着部にＢＤ／ＤＶＤが挿入されると（ステップＳ１）、ＢＤ／ＤＶＤを読み込んで、シリーズ予約フラグ（前述の判定フラグに相当）がオンされているか否かを判定する（ステップＳ２）。ここで、シリーズ予約フラグがオンされている場合（ＹＥＳの場合）、ＢＤ／ＤＶＤ内の番組タイトルを取得し（ステップＳ３）、また、シリーズ予約フラグがオフされている場合（ＮＯの場合）、録画予約処理を行わずそのまま終了する。
【００４７】
次に、録画装置１は、ステップＳ３でＢＤ／ＤＶＤ内の番組タイトルを取得すると、電子番組表から番組タイトルを取得し（ステップＳ４）、ステップＳ３，Ｓ４でそれぞれ取得した番組タイトルが一致するか否かの演算を行う（ステップＳ５）。そして、録画装置１は、電子番組表に一致する番組タイトルがあるか否かを判定し（ステップＳ６）、電子番組表に一致する番組タイトルがある場合（ＹＥＳの場合）、電子番組表に基づいて録画予約情報を登録する（ステップＳ７）。また、ステップＳ６において、電子番組表に一致する番組タイトルがない場合（ＮＯの場合）、録画予約情報を登録せずにそのまま終了する。
【００４８】
図４は、本発明の録画装置によるシリーズ番組の録画予約削除処理の一例を説明するためのフロー図である。まず、録画装置１は、所定の装着部からＢＤ／ＤＶＤの排出が指示されると（ステップＳ１１）、シリーズ予約フラグがオンされているか否かを判定する（ステップＳ１２）。ここで、シリーズ予約フラグがオンされている場合（ＹＥＳの場合）、ＢＤ／ＤＶＤに録画する番組コンテンツに応じた録画予約情報を削除する（ステップＳ１３）。また、ステップＳ１２において、シリーズ予約フラグがオンされていない場合（ＮＯの場合）、録画予約情報の削除処理は実行せずそのまま終了する。
【００４９】
図５は、本発明の録画装置によるシリーズ番組の誤記録防止処理の一例を説明するためのフロー図である。まず、録画装置１は、所定の装着部にＢＤ／ＤＶＤが挿入され、ＢＤ／ＤＶＤへの録画／ダビング要求があると（ステップＳ２１）、ＢＤ／ＤＶＤを読み込んで、シリーズ予約フラグ（判定フラグ）がオンされているか否かを判定する（ステップＳ２２）。ここで、シリーズ予約フラグがオンされている場合（ＹＥＳの場合）、ＢＤ／ＤＶＤ内の番組タイトルを取得し（ステップＳ２３）、また、シリーズ予約フラグがオフされている場合（ＮＯの場合）、ステップＳ２２に移行して、ＢＤ／ＤＶＤに対してユーザにより選択された番組の録画／ダビングを開始する。
【００５０】
次に、録画装置１は、ステップＳ２３でＢＤ／ＤＶＤ内の番組タイトルを取得すると、録画／ダビングする番組タイトルを取得し（ステップＳ２４）、ステップＳ２３，Ｓ２４でそれぞれ取得した番組タイトルが一致するか否かの演算を行う（ステップＳ２５）。そして、録画装置１は、ＢＤ／ＤＶＤに一致する番組タイトルがあるか否かを判定し（ステップＳ２６）、ＢＤ／ＤＶＤに一致する番組タイトルがある場合（ＹＥＳの場合）、ＢＤ／ＤＶＤに対して録画／ダビングを開始する（ステップＳ２９）。また、ステップＳ２６において、ＢＤ／ＤＶＤに一致する番組タイトルがない場合（ＮＯの場合）、ＢＤ／ＤＶＤに番組を録画／ダビングするか否かを確認するための警告表示を行う（ステップＳ２７）。
【００５１】
次に、録画装置１は、ユーザにより上記警告表示の「録画／ダビングする」が選択されたか否かを判定する（ステップＳ２８）。ここで、ユーザにより「録画／ダビングする」が選択された場合（ＹＥＳの場合）、ステップＳ２９に移行して、ＢＤ／ＤＶＤに対して録画／ダビングを開始する。また、ユーザにより「録画／ダビングする」が選択されない場合（ＮＯの場合）、録画／ダビングせずにそのまま終了する。
【００５２】
以下、本発明の録画装置１に係るさらに別の実施形態について説明する。
録画装置１は、電子番組表の各番組コンテンツについて開始時刻，終了時刻から録画時間が分かるため、この録画時間に基づいて、設定可能なビットレート毎に録画に必要な容量（以下、録画容量）を求めることができる。また、録画装置１は、ＢＤ／ＤＶＤを読み込んだときに、ＢＤ／ＤＶＤの残り容量を取得することができる。そこで、これらの録画容量と残り容量とに基づいて、電子番組表から検索された番組コンテンツがＢＤ／ＤＶＤの残り容量に収まるか否かを判定し、収まらない場合に、新しいＢＤ／ＤＶＤに交換するように促すメッセージを表示するようにしてもよい。なお。新しいＢＤ／ＤＶＤに交換する場合には、番組コンテンツの録画予約情報をそのまま利用することができる。従って、このような場合には、ＢＤ／ＤＶＤが録画装置１から取り外されたときに、番組コンテンツの録画予約情報を消去せずにそのまま利用できるようにしてもよい。
【００５３】
また、新しいＢＤ／ＤＶＤに交換する代わりに、内蔵ＨＤに一旦記憶するように促すメッセージを表示するようにしてもよい。この場合、内蔵ＨＤに一旦記憶された後に、新しいＢＤ／ＤＶＤにダビングあるいはムーブするようにすれば、シリーズ番組等の連続性を損なわないようにすることができる。
【００５４】
また、録画装置１に挿入されたＢＤ／ＤＶＤに対して、番組コンテンツのビットレートを下げることで、ＢＤ／ＤＶＤの残り容量に収めることが出来る場合には、その旨を通知するためのメッセージを表示するようにしてもよい。なお、複数のビットレートで録画可能と判定された場合には、録画可能なビットレート毎に録画容量を算出し、いずれかのビットレートをユーザが選択できるようにすることが望ましい。
【図面の簡単な説明】
【００５５】
【図１】本発明の一実施形態に係る録画装置の構成例を示すブロック図である。
【図２】図１に示した録画装置が備える制御部の構成例を示す機能ブロック図である。
【図３】本発明の録画装置によるシリーズ番組の録画予約処理の一例を説明するためのフロー図である。
【図４】本発明の録画装置によるシリーズ番組の録画予約削除処理の一例を説明するためのフロー図である。
【図５】本発明の録画装置によるシリーズ番組の誤記録防止処理の一例を説明するためのフロー図である。
【符号の説明】
【００５６】
１…録画装置、２…放送中継基地、３…アンテナ、４…モニタ装置、５…リモコン装置、１０…制御部、１１…ＲＯＭ、１２…ＲＡＭ、１３…チューナ部、１４…操作部、１５…表示部、１６…日時管理部、１７…予約管理部、１８…ＢＤ／ＤＶＤドライブ、１９…記録再生部、２０…ＨＤＤ、２１…出力部、２２…赤外線受光部、１０１…電子番組表生成部、１０２…番組情報取得部、１０３…電子番組表検索部、１０４…録画予約情報登録部、１０５…録画予約実行部、１０６…判定フラグ書込部、１０７…番組情報書込部。
【図１】
2010041560.tif 000003
【図２】
2010041560.tif 000004
【図３】
2010041560.tif 000005
【図４】
2010041560.tif 000006
【図５】
2010041560.tif 000007